(57)【要約】  【課題】ボディスーツの股下接合部のスナップを簡単な構造で且つ簡単に取り外しできるボディスーツを提供する。【解決手段】前後に分割可能な前股布６と後股布７によりなる股下接合部５を備え、前股布６の端部に縫合されたスナップ取り付け布８ａの裏側にスナップ８が固定されるとともに、後股布７の端部に縫合されたスナップ取り付け布９ａの表面にスナップ８に係合するスナップ９が固定され、前股布６のスナップ取り付け布８ａに指で摘まんで引っ張る引き片１０が一体に設けられている。【選択図】図１
0003131268.tif 000002
【実用新案登録請求の範囲】
【請求項１】
前後に分離可能な前股布と後股布とからなる股下接合部を備え、前記前股布の端部に縫合されたスナップ取り付け布の裏側にスナップが固定されるとともに、後股布の端部に縫合されたスナップ取り付け布の表面に前記スナップに係合するスナップが固定され、前記前股布のスナップ取り付け布に指で摘まんで引っ張る引き片が一体に設けられていることを特徴とするボディスーツ。
【請求項２】
前記引き片が前記前股布のスナップ取り付け布の上縁に両端が固定された紐であることを特徴とする請求項１記載のボディスーツ。
【請求項３】
前記引き片が前記前股布のスナップ取り付け布の上縁あるいは下縁に一体に設けられた布片であることを特徴とする請求項１記載のボディスーツ。
【請求項４】
前記引き片が前記前股布のスナップ取り付け布の表面に、両側がスナップで一体に固定されるとともに、中央に指を通す隙間が形成されている帯であることを特徴とする請求項１記載のボディスーツ。
【請求項５】
前記後股布のスナップ取り付け布に、前記前股布のスナップ取り付け布に固定されたスナップを引っ張って係合しているスナップを外す際に、前記後股布のスナップ取り付け布に固定されたスナップが引っ張られないように指で摘まんで保持するための保持片が設けられていることを特徴とする請求項１〜４のいずれか１項に記載のボディスーツ。
【考案の詳細な説明】
【技術分野】
【０００１】
本考案は、プロポーションを補整するために着用するボディスーツに関し、特に、股下接合部に関する。
【背景技術】
【０００２】
女性用の下着に、身体に圧着させてバスト、ウエスト、ヒップ等のラインを補整するために使用するボディスーツがある。
【０００３】
図５（ａ）はボディスーツの全体図、（ｂ）は股下接合部を外した状態を示す図である。
【０００４】
図５（ａ）において、ボディスーツは、肩紐部１、バスト部２、ウエスト部３、ガードル部４とが一体に形成され、股間の股下接合部５は前股布６と後股布７により前後に分割されている。
【０００５】
股下接合部５は、図５（ｂ）に示すように、前股布５の端部に縫合されたスナップ取り付け布８ａの裏側に固定された雌スナップ８を、後股布７の端部に縫合されたスナップ取り付け布９ａの表面に固定された雄スナップ９に上から押し込んで接合する。用便を行う際には、前股布６と後股布７を係止しているスナップ８，９を外して前股布６と後股布７を分離し、その後用を足すようになっている。
【０００６】
しかしながら、ボディスーツは、プロポーションを補整するため、身体へある程度きつく圧着させて使用するので、使用中に身体を激しく動かしても股間部の前股布と後股布のスナップが外れないようにきつく係合できるようになっている。そのため、用便の際に簡単にはスナップを外すことができない不便さがある。
【０００７】
この不便さを解消するため、特許文献１には、股間部の接合を分離しやすいボディスーツが開示されている。このボディスーツは、女性用下着としてのボディスーツの股下接合部において、股部の上部接合片の内面に面状ファスナーを縫合するとともに、面状ファスナーの上端より係止爪を内面に沿って上方に突出し、下部接合片の外面に面状ファスナーを縫合するとともに、下端に凹状の開口部を有する受け具を、その突端を外方に向けて僅かに起立状に垂下して股部接合を簡易なものにしたものである。
【０００８】
また、特許文献１には、別の形態として、女性用下着としてのボディスーツの股部接合において、上部接合片の内面に磁性体を包蔵したマットを縫合するとともに、該マットの上端より係止爪を内面に沿って突出し、下部接合片の外面には吸磁体を包蔵したマットを縫合するとともに、下端に凹状の開口部を有する受け具を、その突端を外方に向けて僅かに起立状に垂下して成る股部接合を簡易なものにしたものである。
【特許文献１】実用新案登録第３００９６９５号公報
【考案の開示】
【考案が解決しようとする課題】
【０００９】
図５に示すボディスーツでは、スナップ周辺部が指で摘む部分がほとんどないため、前股布と後股布を強く引けないので、前股布と後股布を容易に分離させることができなかった。
【００１０】
また、前記引用文献１に開示されているボディスーツの股下接合部では、面状ファスナー、あるいは磁性体及び吸磁体を包蔵したマットを縫合し、さらに係止爪とこれを受ける開口部を有する受け具を設けなくてはならないので構造が複雑となり、また股下接合部を一度の操作で分離したり止めたりできない。
【００１１】
そこで、本考案は、ボディスーツの股下接合部のスナップを簡単な構造で且つ簡単に取り外しできるボディスーツを提供するものである。
【課題を解決するための手段】
【００１２】
本考案は、前後に分離可能な前股布と後股布とからなる股下接合部を備え、前記前股布の端部に縫合されたスナップ取り付け布の裏側にスナップが固定されるとともに、後股布の端部に縫合されたスナップ取り付け布の表面に前記スナップに係合するスナップが固定され、前記前股布のスナップ取り付け布に指で摘まんで引っ張る引き片が一体に設けられていることを特徴とする。
【００１３】
引き片は、前股布のスナップ取り付け布の上縁に両端が固定された紐、前股布のスナップ取り付け布の上縁あるいは下縁に一体に設けられている布片、引き片が前股布のスナップ取り付け布の表面に、両側をスナップで一体に固定し、中央に指を通す隙間を形成する帯で形成する。
【００１４】
また、後股布のスナップ取り付け布には、前股布のスナップ取り付け布に固定されたスナップを引っ張って係合しているスナップを外す際に、後股布のスナップ取り付け布に固定されたスナップが引っ張られないように指で摘まんで保持するための保持片を設けてもよい。
【考案の効果】
【００１５】
本考案は、引き片として、布片、紐あるいは帯を取り付けるだけの簡単な構造であり、引き片を確実に掴むことができ、引き片を掴んで引くことによりスナップを簡単に外すことができる。
【００１６】
後股布に保持片を設けることにより、スナップをより簡単に外すことができる。
【考案を実施するための最良の形態】
【００１７】
本考案の実施例について図面を参照しながら説明する。
【実施例１】
【００１８】
図１は本考案によるボディスーツの実施例１を示し、（ａ）はボディスーツの全体図、（ｂ）は股下接合部を接合した状態を示す図、（ｂ）は股下接合部を外した状態を示す図である。
【００１９】
図１（ａ）において、ボディスーツは、図５に示すボディスーツと同様に、肩紐部１、バスト部２、ウエスト部３、ガードル部４、股下接合部５が一体に形成され、股下接合部５は前股布６と後股布７により前後に分離、あるいは重ねて接合可能となっている。
【００２０】
股下接合部５は、図１（ｂ）及び図１（ｃ）に示すように、前股布６の端部に縫合されたスナップ取り付け布８ａの裏側に雌スナップ８が固定されるとともに、後股布６の端部に縫合されたスナップ取り付け布９ａの表面に雄スナップ９が固定されている。前股布６を後股布７の上に重ね、前股布６の雌スナップ８を後股布７の雄スナップ９へ押し込んで接合される。
【００２１】
本実施例１では、前股布６のスナップ取り付け布８ａの下縁に、指で摘める大きさの引き片１０が一体に設けられる。引き片１０は、スナップ取り付け布８ａを延ばして一体に設けてもよく、あるいは布片をスナップ取り付け布８ａに縫合してもよい。
【００２２】
図５の従来の股下接合部では、前股布６が掴みにくく且つしっかり掴んで強く引くことができず、横から掴むなどしなければならなかったのに対して、本考案では引き片１０を設けることにより、引き片１０をしっかり掴むことが可能となる。後股布７を押さえ、引き片１０を掴んで後股布７から離す方向に引くことにより、前股布６の雌スナップ８を後股布７の雄スナップ９から簡単に外すことができる。
【００２３】
なお、後股布７のスナップ取り付け布９ａには、引き片１０を引っ張ってスナップを外す際、後股布７のスナップ取り付け布９ａに固定された雄スナップ９が前股布６の雌スナップ８に引っ張られないように保持するための保持片１１を設けることができる。保持片１１を掴んで雄スナップ９を保持し、引き片１０を掴んで引くことにより、前股布６の雌スナップ８を後股布７の雄スナップ９からより簡単に外すことができる。
【００２４】
本実施例により、用便を行う際に前股布５と後股布６のスナップを簡単に外して用を足すことが可能となる。
【実施例２】
【００２５】
図２は本考案によるボディスーツの股下接合部の別実施例を示す図である。
【００２６】
本実施例は、前股布６のスナップ取り付け布８ａの上縁に紐１２からなる引き片が一体に設けられる。引き片を紐１２で形成するので指で掴みやすく且つ引きやすくなる。また、紐１２が上縁に付けられてボディスーツ側に重なり皮膚に直接触れることがないので、着用しても違和感がない。
【００２７】
なお、股布７のスナップ取り付け布９ａには、実施例１と同様に、雄スナップ９が前股布６の雌スナップ８に引っ張られないように保持するための保持片１１を設けることができる。
【００２８】
本実施例では、引き片となるある紐１２を掴んで後股布７から離す方向に引くことにより、前股布６の雌スナップ８を後股布７の雄スナップ９から簡単に外すことができる。
【実施例３】
【００２９】
図３は本考案によるボディスーツの股下接合部の別実施例を示す図である。
【００３０】
本実施例は、実施例１と引き片１０の位置が反対で、前股布６のスナップ取り付け布８ａの上縁に布片１３からなる引き片が一体に設けられる。引き片１３は、スナップ取り付け布８ａを延ばして一体に設けてもよく、あるいは布片をスナップ取り付け布８ａに縫合してもよい。
【００３１】
なお、実施例１と同様に、後股布７のスナップ取り付け布９ａには、雄スナップ９が前股布６の雌スナップ８に引っ張られないように保持するための保持片１１を設けることができる。
【００３２】
本実施例では、スナップ取り付け布８ａの上縁の布片からなる布片１３を掴んで後股布７から離す方向に引くことにより、前股布６の雌スナップ８を後股布７の雄スナップ９から簡単に外すことができる。
【００３３】
布片１３がスナップ取り付け布８ａ上縁に付けられてボディスーツ側に重なり皮膚に直接触れることがないので、着用しても違和感がない。
【実施例４】
【００３４】
図４（ａ）は本考案によるボディスーツの股下接合部の別実施例を示す図、（ｂ）は同断面図である。
【００３５】
本実施例は、前股布６のスナップ取り付け布８ａの表面に収まる範囲で、指を通すことができる布製の帯１４の両側をスナップ８で一体に固定したものである。後股布７のスナップ取り付け布９ａには、雄スナップ９が前股布６の雌スナップ８に引っ張られないように保持するための保持片１１を設けることができる。
【００３６】
本実施例では、スナップ取り付け布８ａの帯１４に指を通し、帯１４を後股布７から離す方向に引くことにより、前股布６の雌スナップ８を後股布７の雄スナップ９から簡単に外すことができる。
【００３７】
また、帯１４がスナップ取り付け布８ａの表面に収まっているので、着用しても肌に触れることがないので、違和感がない。
【図面の簡単な説明】
【００３８】
【図１】図１は本考案によるボディスーツの実施例１を示し、（ａ）はボディスーツの全体図、（ｂ）は股下接合部を接合した状態を示す図、（ｃ）は股下接合部を外した状態を示す図である。
【図２】本考案によるボディスーツの股下接合部の別実施例を示す図である。
【図３】本考案によるボディスーツの股下接合部の別実施例を示す図である。
【図４】（ａ）は本考案によるボディスーツの股下接合部の別実施例を示す図、（ｂ）は同断面図である。
【図５】（ａ）ボディスーツの全体図、（ｂ）は股下接合部を外した状態を示す図である。
【符号の説明】
【００３９】
１：肩紐部                ２：バスト部
３：ウエスト部            ４：ガードル部
５：股下接合部            ６：前股布
７：後股布                ８：雌スナップ
８ａ：スナップ取り付け布
９：雄スナップ
９ａ：スナップ取り付け布
１０：引き片
１１：保持片                １２：紐
１３：布片                  １４：帯
【図１】
0003131268.tif 000003
【図２】
0003131268.tif 000004
【図３】
0003131268.tif 000005
【図４】
0003131268.tif 000006
【図５】
0003131268.tif 000007